(57)【特許請求の範囲】
【請求項１】
第１のＣＡＴＶ中継器の出力端子と、第２のＣＡＴＶ中継器の入力端子とを結ぶ伝送路の改修または更新を行うときの無停波工事方式であって、
前記第１のＣＡＴＶ中継器のパイロット出力端子の信号レベルと、前記第２のＣＡＴＶ中継器が所定レベルの信号を出力するために必要とするパイロット入力端子の信号レベルとの差を補償する信号レベル補償用ＣＡＴＶ中継器と、
前記第１のＣＡＴＶ中継器のパイロット出力端子と前記第２のＣＡＴＶ中継器のパイロット入力端子との間に設けられた前記信号レベル補償用ＣＡＴＶ中継器を経由して、前記第１のＣＡＴＶ中継器のパイロット出力端子と前記第２のＣＡＴＶ中継器のパイロット入力端子との間を結ぶ補助伝送路と、
前記第２のＣＡＴＶ中継器のパイロット信号出力の無信号を検出するパイロット信号検出部と、
前記パイロット信号出力の無信号が検出された場合に制御信号を出力する制御部と、
交流電圧が入力され、所定電圧の交流電力を出力する給電部と、
前記制御部より制御信号が出力されている間だけ、前記給電部の出力電力を前記信号レベル補償用ＣＡＴＶ中継器に供給する切替部と
を備えたことを特徴とするＣＡＴＶ伝送路の無停波工事方式。
【発明の詳細な説明】
【０００１】
【発明の属する技術分野】
この発明は、ＣＡＴＶシステム伝送路の改修・更新工事時の無停波工事方式に関する。
【０００２】
【従来の技術】
従来、ＣＡＴＶシステムにおける伝送路改修・更新工事では、ＣＡＴＶの伝送路を停波させて実施するため、ＣＡＴＶ加入者へのサービス停止は避けられず、ＣＡＴＶ加入者へ工事の事前告知を行ったり、夜間工事を行うなどの配慮が必須であった。
【０００３】
【発明が解決しようとする課題】
ところが上述のＣＡＴＶの伝送路を停波させて行う伝送路改修・更新工事では、事前告知を行ったとしてもＣＡＴＶ加入者からの苦情が発生し、ＣＡＴＶ事業者は苦情対応を行う必要が生ずるという課題があった。
また、ＣＡＴＶの伝送路を停波させて行う伝送路改修・更新工事では、深夜作業で工事を行うことが必要であり、このために工事費用が増加してしまうという課題があった。
さらに、今後のＣＡＴＶを使った通信サービスを行う場合には、加入者へのサービス停止は実施できない状況になるという課題がある。
【０００４】
本発明はこのような背景の下になされたもので、補助伝送路を設け、この伝送路を制御することにより、ＣＡＴＶの伝送路を停波させずに伝送路改修・更新工事を行うことができるＣＡＴＶ伝送路の無停波工事方式を提供することを目的とする。
【０００５】
【課題を解決するための手段】
請求項１に記載の発明は、第１のＣＡＴＶ中継器の出力端子と、第２のＣＡＴＶ中継器の入力端子とを結ぶ伝送路の改修または更新を行うときの無停波工事方式であって、
前記第１のＣＡＴＶ中継器のパイロット出力端子の信号レベルと、前記第２のＣＡＴＶ中継器が所定レベルの信号を出力するために必要とするパイロット入力端子の信号レベルとの差を補償する信号レベル補償用ＣＡＴＶ中継器と、
前記第１のＣＡＴＶ中継器のパイロット出力端子と前記第２のＣＡＴＶ中継器のパイロット入力端子との間に設けられた前記信号レベル補償用ＣＡＴＶ中継器を経由して、前記第１のＣＡＴＶ中継器のパイロット出力端子と前記第２のＣＡＴＶ中継器のパイロット入力端子との間を結ぶ補助伝送路と、
前記第２のＣＡＴＶ中継器のパイロット信号出力の無信号を検出するパイロット信号検出部と、
前記パイロット信号出力の無信号が検出された場合に制御信号を出力する制御部と、
交流電圧が入力され、所定電圧の交流電力を出力する給電部と、
前記制御部より制御信号が出力されている間だけ、前記給電部の出力電力を前記信号レベル補償用ＣＡＴＶ中継器に供給する切替部と
を備えたことを特徴とするＣＡＴＶ伝送路の無停波工事方式を提供する。
【０００９】
これらの発明によれば、ＣＡＴＶ伝送路の改修・更新工事時に、加入者へのサービス停止を防ぐため、ＣＡＴＶ伝送路に伝送されている下りパイロット信号を利用して予備用伝送路への電源給電を瞬時に、かつ自動的に行うことによって無停波工事を行うことができる。
【００１０】
【発明の実施の形態】
以下、この発明の一実施形態について図を参照しながら説明する。
図１はこの発明の一実施形態によるＣＡＴＶ伝送路の無停波工事方式の構成を示すブロック図である。
また、図２はこの発明の一実施形態によるＣＡＴＶ伝送路の無停波工事方式に適用される無停波工事用給電装置の構成を示すブロック図である。
【００１１】
図１において、ＣＡＴＶ中継器Ａ１とＣＡＴＶ中継器Ａ２を結ぶ区間Ａの伝送路の改修または更新工事を行う場合、予め区間ＡのＣＡＴＶ中継器Ａ１のパイロット出力端子と、ＣＡＴＶ中継器Ａ２のパイロット入力端子との間にバイパス伝送路Ｂを敷設し、このバイパス伝送路Ｂには信号レベル補償用ＣＡＴＶ中継器Ｂ１を設置する。
この信号レベル補償用ＣＡＴＶ中継器Ｂ１は、ＣＡＴＶ中継器Ａ１のパイロット出力端子の信号のレベルと、ＣＡＴＶ中継器Ａ２が所定レベルの信号を出力するために必要とするパイロット入力端子の信号のレベルとの差を補償するために設けられる。
【００１２】
さらにＣＡＴＶ中継器Ａ２のパイロット出力端子のパイロット信号が無停波工事用給電装置１に入力され、この無停波工事用給電装置１から信号レベル補償用ＣＡＴＶ中継器Ｂ１に給電されるように接続される。
【００１３】
図２は、図１の無停波工事用給電装置１のブロック図である。
ＣＡＴＶ中継器Ａ２のパイロット出力端子のパイロット信号出力の無信号を検出するパイロット信号検出部１１、前記無信号の検出によって制御信号を送出する制御部１２、交流電圧が入力され、所定電圧の交流出力を送出する給電部１３、およびバイパス伝送路の信号レベル補償用ＣＡＴＶ中継器Ｂ１に前記交流出力を給電、または給電ストップの切替を行う切替部１４とから構成される。
【００１４】
図１の区間Ａの伝送路改修工事を開始し、ＣＡＴＶ中継器Ａ１の幹線出力コネクタ、もしくはＣＡＴＶ中継器Ａ２の幹線入力コネクタを取り外した瞬間に、区間Ａの伝送路上では伝送信号が断となり、ＣＡＴＶ中継器Ａ２のパイロット信号出力も同様に無信号となる。
前記パイロット信号出力が無信号となったことを図２の無停波工事用給電装置１のパイロット信号検出部１１が検出し、制御部１２を経て切替器１４が動作して給電部１３の交流出力がバイパス伝送路Ｂの信号レベル補償用ＣＡＴＶ中継器Ｂ１に供給され、給電を開始する。
【００１５】
これによりバイパス伝送路Ｂ上の信号レベル補償用ＣＡＴＶ中継器Ｂ１が稼働を開始し、ＣＡＴＶ中継器Ａ１からＣＡＴＶ中継器Ａ２間にＣＡＴＶ信号を伝送するため、ＣＡＴＶ加入者へのサービスを停止することなく、区間Ａの伝送路を改修をする事ができる。
【００１６】
改修工事が完了し、ＣＡＴＶ中継器Ａ１とＣＡＴＶ中継器Ａ２を結ぶ区間Ａの伝送路が復旧した時には、ＣＡＴＶ中継器Ａ２のパイロット信号出力が有信号となることによって無停波工事用給電装置１のパイロット信号検出部１１が無信号検出を停止し、制御部１２を経て切替器１４が切り替わって給電部１３への交流出力の給電を自動的に停止させ、バイパス伝送路Ｂの動作を停止させる。
【００１７】
以上、本発明の一実施形態の動作を図面を参照して詳述してきたが、本発明はこの実施形態に限られるものではなく、本発明の要旨を逸脱しない範囲の設計変更等があっても本発明に含まれる。
【００１８】
【発明の効果】
これまでに説明したように、この発明によれば、ＣＡＴＶ伝送路の改修工事を行う場合、ＣＡＴＶ加入者へのサービス停止を発生させることなく施工が可能となるだけでなく、改修伝送路とバイパス伝送路の信号切替を自動で行う事ができるため、最低限の作業者で施工でき、工事費用が低減できるという効果が得られる。
【００１９】
また、上記の説明は、伝送路改修工事で説明したが、従来は停波が必要であった施設更新工事等の工事時でも無停波とすることができるという効果が得られる。
【図面の簡単な説明】
【図１】  本発明の一実施形態によるＣＡＴＶ伝送路の無停波工事方式の構成を示すブロック図。
【図２】  図１のＣＡＴＶ伝送路の無停波工事方式に適用される無停波工事用給電装置の構成を示すブロック図。
【符号の説明】
１…無停波工事用給電装置
１１…パイロット信号検出部
１２…制御部
１３…給電部
１４…切替部
Ａ１、Ａ２…ＣＡＴＶ中継器
Ｂ１…信号レベル補償用ＣＡＴＶ中継器
【図１】
0003698964.tif 000002
【図２】
0003698964.tif 000003